(57)【要約】【課題】沈胴式の小型カメラの撮影レンズ鏡筒にモード設定用スイッチの一部を配設することにより撮影時の即写性を向上させると共に、その構成を簡素化し、操作性及び信頼性を向上させ、かつ撮影時の手振れを防止したカメラを提供する。【解決手段】撮影者がカメラの撮影レンズ鏡筒の所定の箇所を保持したことを検出するスイッチ手段１７と、このスイッチ手段の検出結果に従って、撮影の動作シーケンスを制御するシーケンス制御手段３０と、上記カメラのファインダ接眼部の近傍に設けられた表示手段７を切り換える切換制御手段８ａ，８ｂとを具備したことを特徴とする。【選択図】  図７
2004170709.tif 000002
【特許請求の範囲】
【請求項１】
撮影者がカメラの撮影レンズ鏡筒の所定の箇所を保持したことを検出するスイッチ手段と、
上記スイッチ手段の検出結果に従って、撮影の動作シーケンスを制御するシーケンス制御手段と、
上記カメラのファインダ接眼部の近傍に設けられた表示手段を切り換える切換制御手段と、
を具備したことを特徴とするカメラ。
【請求項２】
上記スイッチ手段は、上記撮影レンズ鏡筒を保持した撮影者の指の位置が所定箇所にあるか否かを検出する光電スイッチで構成されていることを特徴とする請求項１に記載のカメラ。
【請求項３】
上記シーケンス制御手段は、上記スイッチ手段の検出結果により、上記カメラの振動状態を検出し手振れを防止するモード、又は上記カメラに配設されたストロボのオン／オフを制御するモードを設定することを特徴とする請求項１に記載のカメラ。
【請求項４】
上記スイッチ手段は、
上記撮影レンズ鏡筒に配設された複数の反射部と、
上記カメラ外装筐体に配設された発光部と、
上記カメラ外装筐体に配設され、受光素子により構成された受光部と、
を具備し、
上記発光部からの発光は、上記反射部で反射され、上記受光部にて受光されることを特徴とする請求項１に記載のカメラ。
【請求項５】
上記スイッチ手段は、上記発光部の発光による上記受光部の受光の有無で、上記複数の反射部上の撮影者の指の位置を判定することを特徴とする請求項２または４に記載のカメラ。
【請求項６】
上記受光部は、リモコン信号受光用センサを共用したことを特徴とする請求項４または５に記載のカメラ。
【請求項７】
上記スイッチ手段は、
上記撮影レンズ鏡筒に回動自在に配設された回転環と、
上記回転環に配設された複数の反射部と、
上記回転環に配設された複数の非反射部と、
上記カメラ外装筐体に配設された発光部と、
上記カメラ外装筐体に配設され、受光素子により構成された受光部と、
を具備し、
上記発光部からの発光は、上記回転環の反射部で反射され、上記受光部にて受光されることを特徴とする請求項１に記載のカメラ。
【請求項８】
上記撮影レンズ鏡筒は、上記カメラ外装筐体内に沈胴する収納状態と、撮影時可能状態の少なくとも２状態に移動制御されることを特徴とする請求項１記載のカメラ。
【発明の詳細な説明】
【０００１】
【発明の属する技術分野】
本発明は、カメラ、詳しくは、手振れ防止機能、ストロボのオン／オフ制御等のモード切換機能を有するカメラに関する。
【０００２】
【従来の技術】
周知のように、従来のカメラでは、撮影時に種々多様な撮影モードを設定する場合、撮影者は、カメラ外装筐体の上面や背面に配設されたＬＣＤ表示部の表示を見ながら、前記表示部に隣接して配設されたスイッチを操作して設定モードの切換を行っていた。このスイッチ操作は、セルフタイマモードの設定や、風景モード等の設定ならば十分な仕様であったが、被写体を見ながらモードを切り換えたい場合には、即写性という点で満足できるものではなかった。
【０００３】
また、近年のカメラは電子制御が進んでおり、必ずしも撮影レンズ鏡筒にシャッタ速度設定用及び絞り設定用等のダイヤルを設けなくとも、カメラ本体側でこれらの設定が自動的に行われるようになっている。
【０００４】
このことにより、撮影レンズ鏡筒の機構を簡易化し、カメラの不使用時や携帯時には、撮影レンズ鏡筒をカメラ外装筐体内に収納することができる沈胴式のカメラが市場に多く出回るようになった。この沈胴技術によって、カメラは小型化され、カメラを旅行などに持っていく際のユーザーへの負担が小さくなった。
【０００５】
しかし一方で、古くから行われていた、撮影レンズ鏡筒での操作はなくなってしまったため、カメラを両手で保持して構えることが少なくなり、撮影時に手ブレが起こるケースが増加した。
【０００６】
上記事情に鑑みて、特許文献１や特許文献２に記載の技術では、マクロモード設定用スイッチや防振モード設定用スイッチを、また特許文献３に記載の技術では電源用ＳＷを撮影レンズ鏡筒に設けている。これにより、被写体を見ながら各種モード設定を行うことができるため、モード設定を行って撮影を行う際の即写性が向上され、また、防振モード設定用スイッチを用いることにより、撮影時の手振れの発生を防止することができる。
【０００７】
【特許文献１】
特開平６−３０８３６６号公報
【０００８】
【特許文献２】
特開２００１−５１３１５号公報
【０００９】
【特許文献３】
特開２０００−３１４９０７号公報
【００１０】
【発明が解決しようとする課題】
しかしながら、上述した特許文献に記載のように、各種撮影モード設定用スイッチが撮影レンズ鏡筒に多く配設されると、レンズ沈胴機構が構成しにくくなり、カメラが大型化してしまうといった問題があった。
【００１１】
さらに、撮影レンズ鏡筒に各種メカスイッチを配設すると、撮影レンズ鏡筒の可動部に、種々の電気的な信号線を配設する必要があるため、前記可動部の信頼性が乏しくなりカメラの故障の原因につながる虞があった。
【００１２】
本発明の目的は、上記問題を解消するために、撮影時の即写性を向上させると共に、その構成を簡素化し、操作性及び信頼性を向上させ、かつ撮影時の手振れを防止したカメラを提供するにある。
【００１３】
【課題を解決するための手段、及び作用】
上記の目的を達成するために本発明によるカメラは、撮影者がカメラの撮影レンズ鏡筒の所定の箇所を保持したことを検出するスイッチ手段と、上記スイッチ手段の検出結果に従って、撮影の動作シーケンスを制御するシーケンス制御手段と、上記カメラのファインダ接眼部の近傍に設けられた表示手段を切り換える切換制御手段と、を具備したことを特徴とし、上記スイッチ手段は、上記撮影レンズ鏡筒を保持した撮影者の指の位置が所定箇所にあるか否かを検出する光電スイッチで構成されていることを特徴とし、さらに、上記シーケンス制御手段は、上記スイッチ手段の検出結果により、上記カメラの振動状態を検出し手振れを防止するモード、又は上記カメラに配設されたストロボのオン／オフを制御するモードを設定することを特徴とする。
【００１４】
また、本発明によるカメラにおける上記スイッチ手段は、上記撮影レンズ鏡筒に配設された複数の反射部と、上記カメラ外装筐体に配設された発光部と、上記カメラ外装筐体に配設され、受光素子により構成された受光部とを具備し、上記発光部からの発光は、上記反射部で反射され、上記受光部にて受光されることを特徴とし、さらに、このスイッチ手段は、上記発光部の発光による上記受光部の受光の有無で、上記複数の反射部上の撮影者の指の位置を判定することを特徴とし、また、上記受光部は、リモコン信号受光用センサを共用したことを特徴とする。
【００１５】
さらに、本発明によるカメラにおける上記スイッチ手段は、上記撮影レンズ鏡筒に回動自在に配設された回転環と、上記回転環に配設された複数の反射部と、上記回転環に配設された複数の非反射部と、上記カメラ外装筐体に配設された発光部と、上記カメラ外装筐体に配設され、受光素子により構成された受光部とを具備し、上記発光部からの発光は、上記回転環の反射部で反射され、上記受光部にて受光されることを特徴とする。
【００１６】
また、本発明によるカメラにおける上記撮影レンズ鏡筒は、上記カメラ外装筐体内に沈胴する収納状態と、撮影時可能状態の少なくとも２状態に移動制御されることを特徴とする。
【００１７】
この構成により、カメラ外装筐体を片手で保持し、もう一方の手で撮影レンズ鏡筒を保持すると共に、スイッチ手段の操作ができるため、手振れが抑えられ確実な写真撮影をすることができる。
【００１８】
【発明の実施の形態】
まず、本発明の第１実施の形態を説明するに先立って、本発明のカメラの概要について説明する。
【００１９】
旧来のカメラにおける撮影レンズ鏡筒には、シャッタ速度設定用及び絞り設定用の環状ダイヤルが配設されており、撮影者は、一方の手でカメラボディを保持し、他方の手でこれらのダイヤルを回動操作し、鏡筒を保持するので、両手でカメラを保持して、撮影を行っていた。従って、このようにカメラを両手で保持して撮影を行えば撮影時の手振れが発生し難くなる。
【００２０】
ところが、近年のカメラでは、前述したように電子制御が進んでおり、必ずしも撮影レンズ鏡筒にシャッタ速度設定用及び絞り設定用のダイヤルを持たさなくとも、カメラ本体側でシャッタ速度や絞り等が自動的に適正に設定されるようになっている。
【００２１】
しかし、撮影時の撮影レンズ鏡筒での操作がなくなってしまったため、カメラを両手で構え保持することが少なくなり、手ブレが起こるケースが増加している。
【００２２】
本発明は以上の点に鑑み、撮影レンズ鏡筒の所定の部位とこの部位に対向するカメラ外装筐体の部位に、協働してスイッチ操作を行うスイッチ手段を設け、これを鏡筒を保持した手で操作するようにすることにより、敢えて、両手でカメラを保持する機会を増加させて、手ブレの影響を軽減させるものである。
【００２３】
以下、図面を参照して本発明の実施の形態を説明する。
図１は、本発明の第１実施の形態を示すカメラを右斜め上方から見た外観斜視図、図２は、図１のカメラの背面側の斜視図、図３は、図１のカメラの撮影レンズ鏡筒が沈胴された状態を示す斜視図、図４は、図３のカメラの内部構造を省略した要部概略断面図、図５は、図１のカメラの撮影レンズ鏡筒を撮影者が保持して撮影している状態を示す正面図、図６は、美術館での構図の一例を示したファインダ表示図である。
【００２４】
図１に示すように、カメラ本体をなすカメラ外装筐体１０の前面中央部には、被写体を撮像するための撮影レンズ１１ａを有する沈胴式の撮影レンズ鏡筒１１が配設されており、この撮影レンズ鏡筒１１の右側面には、後述するスイッチ手段を構成する反射部２２ａ、２２ｂが配設されている。
【００２５】
上記レンズ鏡筒１１の上方には、被写体を光学的に観察するためのファインダ窓２が配設されており、このファインダ窓２の右方には、被写体までの距離を測距するための測距ユニットを有するオートフォーカス（以下、ＡＦという）用受光窓３が配設されており、さらに、このＡＦ用受光窓３の右方には、被写体を照射するためのストロボ発光窓９が配設されている。
【００２６】
また、このカメラの前面には、摺動可能で不使用時や携帯時に、カメラ外装筐体１０内に沈胴した上記撮影レンズ鏡筒１１、上記ファインダ対物窓２、上記ＡＦ用受光窓３を覆い保護するバリア１２が配設されている。このバリア１２は、例えば、後述する電源スイッチ８ｃ（図７参照）を兼ねており、開放動作に連動して電源がオンし、カメラ外装筐体内に沈胴している上記撮影レンズ鏡筒１１を所定位置まで繰り出させて撮影可能状態とし、閉成動作時には、図３及び図４に示すように、上記撮影レンズ鏡筒１１をカメラ外装筐体１０内に沈胴させて、電源をオフさせる機能を有している。
【００２７】
さらに、前記撮影レンズ鏡筒１１の右方には、上記反射部２２ａ，２２ｂと共に、後述するスイッチ手段を構成する光電変換スイッチ１７が配設されている。
【００２８】
また、前記カメラ外装筐体１０の上面左側には、撮影を開始させるためのレリーズ釦１が配設されており、上面中央部には、各種撮影モードや撮影コマ数等を表示するための表示用ＬＣＤ７が配設されており、さらに、この表示用ＬＣＤ７の右方には、各種モード切換用スイッチ８ａ、８ｂが配設されている。
【００２９】
また、図２に示すように、前記カメラ外装筐体１０の背面上部中央には、撮影者が撮影構図やシャッタタイミングを決定するためのファインダ接眼窓６０が配設されており、このファインダ接眼窓６０の近傍には、ファインダＬＥＤ発光部（以下、ＦＬＥＤ発光部と称す）１５が配設されている。
【００３０】
このように構成された図１乃至図４に示すカメラで撮影を行う場合、図５に示すように、撮影者２０の右手２０ａでカメラ外装筐体１０を保持し、上記レリーズ釦１を押し込めるように、その人差し指２０ｂをカメラ外装筐体１０の上面左側に配設された上記レリーズ釦１に当てる。今日の全自動カメラは、このような片手のみの保持で撮影を行うことが可能となっているが、本発明のカメラでは、図５に示すように、さらにもう一方の手（左手）２０ｃで上記カメラ外装筐体１０の撮影レンズ鏡筒１１を保持し、スイッチ手段を操作するようになっている。また、このように両手でカメラを保持すると、カメラが安定し、撮影時の手振れが小さくなる。特に薄暗い所では、露光時間が長くなるので手振れが発生し易く、またストロボオフモード（ストロボを光らせないモード）でも、手振れが発生しやすくなるので、両手を用いて保持した方がよい。
【００３１】
また、図６に示すように美術館等で写真を撮る場合には、ストロボ光が展示品に影響を与えるため、カメラをストロボオフの状態にして撮影する必要がある。この時、ストロボオフモードになったことを撮影者に認知させるために、上記ファインダＬＥＤ発光部１５を用いて、ストロボ発光オフモード用表示ＬＥＤ１５ａをファインダ近くに点灯させればユーザーは安心して撮影に入ることができる。また、この時、上述したように、手振れが発生しやすいので、手振れの振動を検出して手振れ用表示ＬＥＤ１５ｂを点滅させて撮影者にその旨を警告してもよい。
【００３２】
図７は、本発明の第１実施の形態を示すカメラの電気回路の全体の構成を示すブロック図、図８は、本発明の第１実施の形態を示すカメラに光電スイッチからなるスイッチ手段を配設したことを示す要部拡大斜視図、図９は、図８のカメラのスイッチ手段の操作の一例を示す要部拡大斜視図である。
【００３３】
図７に示すように、上記カメラ外装筐体１０内には、撮影者のスイッチ操作に従ってカメラの全体的な動作シーケンスを制御するワンチップマイクロコンピュータ等で構成された演算制御回路（以下、ＣＰＵと称す）３０が配設されており、このＣＰＵ３０には、上述したカメラの撮影シーケンスを開始させるためのレリーズスイッチ１と、シャッタ５と、アクチュエータ６と、ＬＣＤ表示部７と、各種モード切換用スイッチ８ａ，８ｂと、バリアスイッチ８ｃと、ストロボ発光窓を有するストロボ発光部９と、ＦＬＥＤ発光部１５と、手振れ検出手段１６と、スイッチ手段を構成する光電変換スイッチ１７と、ＡＦ手段３２と、ＡＥ手段３３と、合焦手段３４がそれぞれ接続されている。尚、上記レリーズスイッチ１、上記各種モード切換用スイッチ８ａ，８ｂ、上記ストロボ発光部９は、上述した図１に示したものに相当する。
【００３４】
上記バリアスイッチ８ｃは、前述のバリア１２の開閉に従ってカメラの電気回路の電源をオン／オフするスイッチであり、バリア１２が開放されて電源がオンされたときには、上記ＣＰＵ３０からの指令によって、上記撮影レンズ鏡筒１１を前記カメラ外装筐体１０の外に繰り出して撮影可能状態（セットアップ）とし（図１参照）、また、バリア１２の閉成時には、レンズ鏡筒１１を前記筐体１０内に沈胴させて（図３、４参照）電源をオフして携帯性を向上させる。
【００３５】
これらの動作は、上記アクチュエータ６によって行われる。このアクチュエータ６には、送りネジ６ａが接続されており、この送りネジ６ａは、上述した上記撮影レンズ鏡筒１１を駆動する。
【００３６】
上記アクチュエータ６は、上記ＣＰＵ３０の指示により、前記送りネジ６ａを回転させて、前記撮影レンズ１１ａ、前記シャッタ５、前記合焦手段３４を有する上記撮影レンズ鏡筒１１を光軸方向に移動させるものである。
【００３７】
上記ＣＰＵ３０は、上記レリーズスイッチ１のオン検出がなされると、撮影に先立って上記ＡＦ手段３２及び上記ＡＥ手段３３を制御して、上記ＡＦ受光窓３（図１参照）を介して、被写体距離並びに明るさを測定、測光し、その結果に従って上記ＣＰＵ３０は、ピント合わせを行うために、上記合焦手段３４によって上記撮影レンズ１１ａの適正位置を制御し、上記シャッタ５の露出時間（シャッタスピード）を適正に設定する。また、必要に応じて上記ストロボ発光部９を発光させ、露出を補う。尚、上記ＣＰＵ３０は、シーケンス制御手段を構成している。
【００３８】
前記各種モード切換用スイッチ８ａ，８ｂは、セルフタイマモードや日付写し込み用のモード（デートモード）など、それほど即写性を求められないモードを設定するものであり、上記各種モード切換用スイッチ８ａ，８ｂによるモード切換結果や、撮影コマ数などは上記ＬＣＤ表示部７に表示される。
【００３９】
このＬＣＤ表示部７に表示されるモードの設定は、上述したように、セルフタイマモードの設定や、風景モード等の設定ならば、上記カメラ外装筐体１０の上面に配設された、上記各種モード切換用スイッチ８ａ，８ｂで十分な仕様であるが、被写体を見ながらモードを切り換えたい場合、例えば、撮影時に手振れの発生を防止するために設定する手振れ防止モードの設定スイッチの場合には、上記カメラ外装筐体１０の上面でのスイッチ操作では、即写性という点で満足できるものではない。
【００４０】
そこで、本発明では、上記赤外発光ＬＥＤ１７ａ，１７ｂを有する、スイッチ手段である上記光電変換スイッチ１７を上記カメラ外装筐体１０に配設してある（図１参照）。この赤外発光ＬＥＤ１７ａ，１７ｂは、上記ＣＰＵ３０のポートによって直接ドライブされ、受光部１７ｃは、電流電圧変換用の抵抗１８を介して、上記ＣＰＵ３０のポートに接続されている。尚、上記赤外発光ＬＥＤ１７ａ，１７ｂ、上記受光部１７ｃは、スイッチ手段を構成している。
【００４１】
上記ＣＰＵ３０のポートは、オープンドレイン形式になっていて、上記ＬＥＤ１７ａ，１７ｂが発光している時は、抵抗をＧＮＤレベルにおとし、抵抗の反対側の端子は上記ＣＰＵ３０に内蔵の図示しないＡ／Ｄ変換手段に入力させることによって入射光レベルを上記ＣＰＵ３０が検出することができるようになっている。
【００４２】
このように上記ＣＰＵ３０に接続された上記光電変換スイッチ１７が、詳しくは、図８に示すように、カメラ外装筐体１０の、上記撮影レンズ鏡筒１１の右側面に対向する位置に配設されている。つまり、上記赤外発光ＬＥＤ１７ａ，１７ｂと受光センサを有する上記受光部１７ｃとからなる光電変換スイッチ１７が、赤外光透過部１７ｄを介してカメラ外装筐体１０内に配設されている。一方、上記撮影レンズ鏡筒１１の右側面には、上記赤外光反射部２２ａ、２２ｂが配設されている。即ち、上記反射部２２ａ、２２ｂは、上記赤外発光ＬＥＤ１７ａ，１７ｂの光を反射して上記受光部１７ｃに入射させる役目をするものであって、スイッチ手段を構成している。
【００４３】
このスイッチ手段の開閉は、図８に示すように、撮影者が上記反射部２２ａ，２２ｂを押さえない状態と、図９に示したように、撮影者が上記反射部２２ａ，２２ｂを押さえて、上記撮影レンズを保持した場合とによって行われる。つまり、図８では、２つの上記赤外発光ＬＥＤ１７ａ，１７ｂからの赤外光が、上記反射部２２ａ，２２ｂでそれぞれ反射され、上記受光部１７ｃで受光されていてスイッチはオン状態であるが、図９では、上記反射部２２ａが撮影者の指２０ｃで隠されているので、上記受光部１７ｃは、上記赤外発光ＬＥＤ１７ａからの赤外光を受光することがなく片方のスイッチはオフ状態である。
【００４４】
上記ＣＰＵ３０は、この撮影者２０の指２０ｃの位置を検出して各種設定モードの切換を行う。つまり、上記ＣＰＵ３０は、撮影者が一方の反射部２２ａを押さえていなければ、撮影時、手振れを発生させる可能性が高いとして、手振れ防止モードをオンにし、上記反射部２２ａを押さえていれば、撮影レンズ鏡筒を保持していることになるので、撮影時、手振れを発生させる可能性が低いとして、手振れ防止モードをオフにする。
【００４５】
また、図９の状態から指２０ｃを他方の反射部２２ｂの位置にずらすと、上述した手段と同様に、例えばストロボ発光モードの設定等のもう１つのモード切換設定ができる。上述したように、ストロボを発光させない場合は、手振れが発生しやすいことから、上記ＣＰＵ３０は、上記反射部２２ｂを押さえてなければ、撮影時、手振れを発生させる可能性が高いとして、ストロボ発光モードをオンにし、上記反射部２２ｂを押さえていれば、撮影時、手振れを発生させる可能性が低いとして、ストロボ発光モードをオフにする。
【００４６】
この結果によって、上述した図６に示すように、上記ＦＬＥＤ発光部１５により、上記ＬＥＤ１５ａ，１５ｂなどが点灯点滅する。上記手振れ検出手段１６は、周知の角加速度センサ等を利用してカメラの振動状態を判別する。その結果によって上記ＣＰＵ３０は、図６の上記手振れ用表示ＬＥＤ１５ｂによる手ブレ判定ＬＥＤの点滅制御を決定する。
【００４７】
このように、上記撮影レンズ鏡筒１１での指の動きは、図７の光電変換スイッチ１７によって検出されるので、上記撮影レンズ鏡筒１１に複雑なメカ機構を設ける必要はない。上記撮影レンズ鏡筒１１が複雑な構成になると鏡胴が大型化し、前述の沈胴制御等ができなくなってしまうが、本発明のようにカメラ外装筐体１０側に上記光電変換スイッチ１７を配設し、鏡筒１１側に反射部を設けて、撮影者の鏡筒を保持する手指で、これをオンオフすれば、上記撮影レンズ鏡筒１１は簡易化できる。
【００４８】
これにより、撮影者は、撮影時、高速性が重視されるモード、例えば手振れ防止モードを設定する場合には、迅速に設定できるため、即写性を満足でき、かつ撮影時の手振れを防止することができる。
【００４９】
次に、このように電気回路が構成された本発明の第１実施の形態を示すカメラのＣＰＵ３０の動作シーケンスの制御を説明する。
【００５０】
図１０、図１１は、本発明によるカメラの撮影手順を示した基本フローチャートである。
【００５１】
まず、ステップＳ１では、撮影者が上記バリア１２（図１参照）を開いたか否かを上記電源ＳＷ８ｃ（図７参照）によって検出する。前記ＳＷ８ｃにより、上記バリア１２の開状態が検出されれば、ステップＳ２に移行して、上記ＣＰＵ３０（図７参照）により上記アクチュエータ６（図７参照）が制御されて、上記撮影レンズ鏡筒１１（図１参照）を基準位置まで繰り出す等のセットアップ動作が行われ、その後ステップＳ３に移行する。
【００５２】
ステップＳ３では、撮影者によるレリーズ釦１のオン動作が行われたか否かを判定する。ステップＳ３でレリーズ釦のオン動作が行われると、ステップＳ１１に進み、撮影シーケンスに入る。ステップＳ１１では、上記ＣＰＵ３０は、上記ＡＦ手段３２及び上記ＡＥ手段３３（いずれも図７参照）を動作させ露出を適正に制御して、ステップＳ１２に移行する。
【００５３】
ステップＳ１２では、ステップＳ１１での露出制御に基づいてストロボ発光が必要か否かを判定する。ストロボ発光が必要であれば、ステップＳ１８に移行して、ステップＳ１８で、後述するストロボ発光モードが撮影者により設定されているか否かを判定し、ストロボ発光モードが設定されていれば、ステップＳ１５に移行して、ストロボフラグを１としてさらにステップＳ２１に移行し、ストロボ発光モードが設定されていなければ、ステップＳ１９に分岐してストロボフラグを０としてステップＳ２１に移行する。
【００５４】
ステップＳ１２に戻って、ストロボ発光が不要であれば、ステップＳ１３に分岐して、ステップＳ１３で、後述するストロボ発光モードが撮影者により設定されているか否かを判定し、ストロボ発光モードが設定されていれば、ステップＳ１５に移行してストロボフラグを１としてさらにステップＳ２１に移行し、ストロボ発光モードが設定されていなければ、ステップＳ１４に分岐してストロボフラグを０としてステップＳ２１に移行する。
【００５５】
ステップＳ２１では、上記ＡＦ手段３２によるＡＦ結果に従って、上記撮影レンズ１１ａ（図１参照）のピント合わせを行ってステップＳ２２に移行し、ステップＳ２２では、撮影者により、後述する手振れ防止モードが設定されているか否かを判定する。
【００５６】
ステップＳ２２で手振れ防止モードが設定されていなければ、ステップＳ２４に分岐して、前記したステップＳ１５でストロボフラグを１にしたか否かを判定する。ステップＳ２４でストロボフラグが１であれば、ステップＳ２５に移行して、ストロボを発光し、通常の露出演算で決まるシャッタスピードで露出を制御して、その後リターンする。また、ステップＳ２４でストロボフラグが０であれば、ステップＳ２６に分岐して、ストロボは発光されず、通常の露出演算で決まるシャッタスピードで露出を制御して、その後リターンする。
【００５７】
ステップＳ２２に戻って、手振れ防止モードが設定されていれば、ステップＳ２３に移行して、上記手振れ検出手段１６（図７参照）による手振れ検出を行い、ステップＳ２３で手振れが検出されなければ、ステップＳ２４に分岐して上述した動作を行う。
【００５８】
ステップＳ２３で手振れが検出されれば、ステップＳ２７に移行して、前記したステップＳ１５でストロボフラグを１にしたか否かを判定し、ステップＳ２７でストロボフラグが１であれば、ステップＳ２８に移行して、ストロボを発光し、手ブレ対策用のシャッタスピード、即ちステップＳ２５，２６で設定したより例えば倍のスピードで露出を制御して手ブレ軽減を行い、その後リターンする。また、ステップＳ２７でストロボフラグが０であれば、ステップＳ２９に分岐して、ストロボは発光されず、手ブレ対策用のシャッタスピード、即ちステップＳ２５，２６で設定したよりも、例えば倍のスピードで露出を制御して手ブレ軽減を行い、その後リターンする。
【００５９】
このように本発明のカメラでは、ストロボ発光モードや手ブレ防止モードの選択によって、露出方法が切り換えられている。これらのモード切り換えは、撮影者によるレリーズ釦１のオン動作が行われる前に決定される。
【００６０】
ステップＳ３に戻って、ステップＳ３で、レリーズ釦がオンされていなければ、ステップＳ４に分岐して、図１１に示すように、ステップＳ４で、撮影者が上記バリア１２を開いたか否かを上記電源ＳＷ８ｃによって検出する。ステップＳ４で、前記ＳＷ８ｃにより、上記バリア１２の開状態が検出されれば、上述した図７で示したように、上記光電変換スイッチ１７によるモード切り換えや、前記各種モード切換用スイッチ８ａ，８ｂのようなプッシュスイッチによるモード切り換えに応じて、モード切り換えが可能となる。これらのモード切り換えは、続くステップＳ３１のフロー以下で行われる。
【００６１】
ステップＳ４に戻って、ステップＳ４で上記バリア１２が閉じているとステップＳ５に分岐し、上記光電変換スイッチ１７及び前記各種モード切換用スイッチ８ａ，８ｂにより設定されたモードは、リセットされてステップＳ６に移行し、ステップ６で、上記撮影レンズ鏡筒１１の沈胴制御が行われ、その後リターンする。
【００６２】
上述した各種モード切り換えのために、ステップＳ３１では、赤外発光ＬＥＤ１７ａが、上記撮影レンズ鏡筒１１の反射部２２ａに向けて赤外光を発光してステップＳ３２に移行し、ステップＳ３２では、前記赤外発光ＬＥＤ１７ａからの赤外光が上記撮影レンズ鏡筒１１の反射部２２ａで反射されて上記受光部１７ｃに受光されたか否かを判定する。
【００６３】
ステップＳ３２で、上記受光部１７ｃが前記赤外発光ＬＥＤ１７ａからの赤外光を受光してなければ、図９に示したように、撮影者の指の位置が上記反射部２２ａの位置にあり、手ブレが起こりにくいので、ステップＳ３３に移行して、手振れ防止モードをＯＦＦに設定し、ステップＳ３４に移行する。また、上記受光部１７ｃが前記赤外発光ＬＥＤ１７ａからの赤外光を受光していれば、ステップＳ３４にジャンプする。
【００６４】
ステップＳ３４では、上記赤外発光ＬＥＤ１７ｂが、上記撮影レンズ鏡筒１１の反射部２２ｂに向けて赤外光を発光してステップＳ３５に移行し、ステップＳ３５では、前記赤外発光ＬＥＤ１７ｂからの赤外光が上記撮影レンズ鏡筒１１の反射部２２ｂで反射されて上記受光部１７ｃに受光されたか否かを判定する。
【００６５】
ステップＳ３５で、上記受光部１７ｃが前記赤外発光ＬＥＤ１７ｂからの赤外光を受光していなければ、撮影者の指の位置が上記反射部２２ｂの位置にあると判定して、ステップＳ４２に移行して、ストロボモードをＯＦＦに設定し、さらにステップＳ４３に移行し、図６に示すように、ステップＳ４３で上記ストロボ発光オフモード用表示ＬＥＤ１５ａを点灯または点滅させて、撮影者にストロボを発光しない旨を警告して、ステップＳ４５に移行する。
【００６６】
ステップＳ３５に戻って、上記受光部１７ｃが前記赤外発光ＬＥＤ１７ｂからの赤外光を受光していれば、ステップＳ４１に分岐して、上記ストロボ発光オフモード用表示ＬＥＤ１５ａを消灯し、ステップＳ４５に移行する。
【００６７】
ステップＳ４５では、前述したステップＳ３３で手振れ防止モードを設定しなかったか否かを判定する。手振れ防止モードが設定されていなければ、ステップＳ４８にジャンプする。手振れ防止モードが設定されていれば、ステップＳ４６に移行して、上記手振れ検出手段１６により実際に手振れが有るか否かを検出し、手振れが無ければステップＳ４８にジャンプし、手振れが有れば、ステップＳ４７に移行して、上記手振れ表示用ＬＥＤ１５ｂを点灯させて、撮影者に手振れが発生している旨を警告して、ステップＳ４８に移行する。
【００６８】
最後にステップＳ４８では、上記各種モード切換用スイッチ８ａ，８ｂによるデート（日付）モードに切り換えが有るか否かを検出し、切り換えがあれば、ステップＳ４９に移行して、上記表示用ＬＣＤ７に表示されているデート表示を切り換え、前記ステップＳ３に戻る。上記ステップＳ４８で上記各種モード切換用スイッチ８ａ，８ｂによるデート（日付）モードに切換がなければ、同様に前記ステップＳ３に戻る。
【００６９】
このようにストロボオフモード選択時は、上記ストロボ発光オフモード用表示ＬＥＤ１５ａが点灯し、非選択時には消灯するため、撮影者にモード選択状態を認知しやすくしている。
【００７０】
また、手振れ防止モード設定時は、手振れがあると判定されれば上記手振れ用表示ＬＥＤ１５ｂを点灯させるようにし、これによって、撮影者は手振れが発生したかどうかを確認してカメラの構え方を自分で直すことができる。
【００７１】
さらに、日付データ写し込みモードの選択は、特にカメラを構えた状態で行う必要がないので上記各種モード切換用スイッチ８ａ、８ｂのスイッチで切り換えればよく、デート表示の切換の様子は、カメラの上部に設けられた上記ＬＣＤ７に表示すればよい。
【００７２】
よって、撮影シーンに応じてカメラを構えながら設定し、かつ手振れに影響するモード設定（手振れ防止モードやストロボモード）は、上記撮影レンズ鏡筒１１近傍の上記スイッチ手段によって行い、その他のモードは従来のカメラのように、上記カメラ外装筐体１０に配設されたプッシュスイッチと上記ＬＣＤ７の表示の切り換えによって行うようにすればファインダ近傍のＬＣＤや、上記撮影レンズ鏡筒１１近傍の電気配線数を減らして低コスト化することができる。
【００７３】
以上説明したように本発明の第１実施の形態のカメラによれば、上記撮影レンズ鏡筒１１に複雑な機構の可動部を設けることなく、撮影者の指の位置によってスイッチ手段を動作させて各種モードを切り換えるので、構成を単純化することできる。また、上記撮影レンズ鏡筒１１を支えながら各種モード設定ができるため、手振れに強いカメラを提供することができる。
【００７４】
図１２乃至図１４は、本発明の第２実施の形態を示すカメラの撮影レンズ鏡筒を示した斜視図である。
【００７５】
この第２実施形態のカメラの構成は、前記図１乃至図１１に示した第１実施形態のカメラの構成と殆ど同じであるが、この第２実施形態においては、撮影レンズ鏡筒１１の側面に上記反射部２２ａ，２２ｂを設ける代わりに、赤外光を反射する反射部と、赤外光を吸収する非反射部を有する回転環を配設した点のみが異なる。よって、この相違点のみを説明し、第１実施形態のカメラと同様の構成部材には、同じ符号を付し、その説明は省略する。
【００７６】
図１２に示すように、撮影レンズ１１０ａを有する撮影レンズ鏡筒１１０の周面には、赤外光を上記受光部１７ｃに反射する反射部４０と、赤外光を吸収又は拡散する非反射部４１を有する回転環１１６が、上記撮影レンズ鏡筒１１０に対して回動自在に配設されている。この回転環１１６は、撮影者の手によって、図１２，図１３，図１４に示す３つの状態に回動停止されるようになっており、停止位置は、例えばクリックストップ機構等で暫定的に規定されている。従って、この３つの状態の位置の中間ではクリック感がなく止まらないようになっている。また上記回転環１１６の反射部４０及び非反射部４１は、スイッチ手段を構成している。
【００７７】
このように構成された、上記撮影レンズ鏡筒１１０においては、通常は、図１２に示すように、赤外発光ＬＥＤ１７ａ，１７ｂから、上記回転環１１６に配設された反射部４０に向かって赤外光をそれぞれ投光し、上記反射部４０による反射で受光部１７ｃに赤外光が入射するようになっており、これは、上述した第１実施形態の図８で示した状態に相当する。
【００７８】
上記回転環１１６を回転させて撮影者が図１３に示す状態に停止すると、上記赤外発光ＬＥＤ１７ｂからの赤外光は、上記反射部４０により反射されて上記受光部１７ｃに受光されるが、上記赤外発光ＬＥＤ１７ａからの赤外光は、上記非反射部４１により、吸収又は拡散されるので、スイッチ手段が動作し、上記受光部１７ｃは、上記赤外発光ＬＥＤ１７ａからの赤外光を受光することがない。これは、上述した第１実施形態の図９で示した状態に相当する。即ち、手振れ防止モードがオフとなる。
【００７９】
この手段によれば、図１２に示すように、撮影者が上記回転環１１６を押さえない状態と、図１３に示したように、撮影者が上記回転環１１６を押さえて移動させ、上記撮影レンズを保持した状態との差異を上述した第１実施形態と同じ手法で、判別することができる。
【００８０】
また、図１３の状態から、撮影者が上記回転環１１６を回転させて、図１４に示す状態に移動停止すると、上述した第１実施形態と同様に、例えばストロボ発光モードの設定等のもう１つのモード切換設定ができる。
【００８１】
即ち、撮影時、手振れを発生させる可能性が低いとして、ストロボ発光モードをオフにする。また、この場合、上記赤外発光ＬＥＤ１７ａからの赤外光も非反射部４１に吸収又は拡散されているので、手振れ防止モードはオフとなる。
【００８２】
このように構成された本発明の第２実施の形態においては、上記撮影レンズ鏡筒１１０に配設された上記回転環１１６で、上記スイッチ手段を構成したため、より良好な操作感が得られ、撮影者による確実な切換操作を可能としている。また、カメラの大型化を防止することができる。
【００８３】
尚、上述した本発明の第１及び第２実施の形態においては、図１５に示すように、撮影レンズ２１１ａを有する撮影レンズ鏡筒２１１側に、上記赤外発光ＬＥＤ１７ａを配設しても良い。この場合、上記カメラ外装筐体側には、受光部１７ｃのみが配設される。そして、図示しないカメラ外装筐体に配設されたドライバ８０と、上記撮影レンズ鏡筒側２１１に配設された上記赤外発光ＬＥＤ１７ａをフレキシブル基板８１で接続し、上記フレキシブル基板８１を介して、上記赤外発光ＬＥＤ１７ａに上記ドライバ８０からの電流を供給して、上記赤外発光ＬＥＤ１７ａから赤外光を発光させる。このような構成によれば、上記撮影レンズ鏡筒に反射部を配設するよりも、より大きなＳ／Ｎが得られ誤動作を防止することができる。
【００８４】
尚、上記受光部１７ｃの受光センサは、従来のカメラが有していたリモコン信号の受光部をそのまま代用してもよい。従来のカメラに内蔵されているリモコン信号の受信回路では、撮影者がカメラをリモートコントロールするために、図１６に示すように、例えばリモコン等の送信部５０を操作した時、リモコン受光部１７０ｃは、上記リモコン等の送信部５０の発光素子５１から送光された赤外パルス光５２を受光し、これを増幅器５３で増幅したものを、上記ＣＰＵ３０がリモコンの受光を判定して前記シャッタ５を制御するしくみになっている。
【００８５】
従って、このリモコン信号受信回路利用するには、図１６のスイッチ５４をオン、スイッチ５５をオフにして、抵抗５６、コンデンサ５７からなるハイパスフィルタを作動させて、パルス増幅器５３に信号光電流を導くようにすればよい。
【００８６】
上記受光センサ１７０ｃを共用しつつ、リモコン回路を誤動作させないようにするには、図１６のモード切換判定用の赤外発光ＬＥＤ１７０ａを、直流又は異なる周波数でパルス駆動し、ロジック制御回路５８で上記スイッチ５４をオフ、上記スイッチ５５をオンにして、光電流を光量検出回路５９に導く。
【００８７】
続いて、上記光量検出回路５９による光量検出結果を上記ＣＰＵ３０が判定すれば、図８、図９及び図１２乃至図１４並びに図１５で示したような構成の光電スイッチの判定が可能となる。この場合、重要なのは上記受光センサ１７０ｃに定常的に入射する背景光の影響であるが、これは公知のアクティブＡＦの技術（定常光除去）を用いてもよいし、上記ＬＥＤ１７０ａの発光前に定常光量を上記ＣＰＵ３０が記憶しておき、上記ＬＥＤ１７０ａ発光時の光増加量を判定して、信号光の入射を検出するようにすればよい。
【００８８】
このような電気回路の構成によれば、カメラ内に配置するセンサの数を増加させることなく、省スペース化、及び低コスト化を実現することができる。
【００８９】
尚、手振れの検出方法として、例えば上記ＡＦ手段３２（図７参照）のＡＦセンサを用いて手振れを検出するようにしても良い。例えば、図１７に示すように、１対の受光レンズ３２ｃ、３２ｄと、１対のセンサアレイ３２ａ、３２ｂからなる、所謂、外光パッシブ方式の測距装置では、周知のように、上記センサアレイ３２ａ及び上記センサアレイ３２ｂ上の像位置を比較し、その差ｘを求めて、被写体距離Ｌを求める。受光レンズ間距離をＢとし、受光レンズの焦点距離をｆとすると三角測距の原理よりＬ＝Ｂ・ｆ／ｘの関係で被写体距離Ｌが求められる。
【００９０】
このようなＡＦ（測距）装置を用いると、センサアレイ３２ａが被写体像を検出できるので、所定時間間隔を隔てた像信号を比較して、像が変化していれば手振れ有り、像が変化してなければ手振れ無しと判定することができる。
【００９１】
また、図１８に示すように、手振れがあると、所定タイミングｔ１で得られる像データと、別のタイミングｔ２で得られる像データが異なるので、この差異を調べるような演算を上記ＣＰＵ３０（図７参照）が行うように構成する。
【００９２】
このように、ＡＦセンサの出力を用いて手振れを判定すればコストを増大させることなく手振れを検出でき、その結果によって手振れの警告、シャッタスピードを切り換える等、図１０、図１１で示したようなアルゴリズムの実施が可能となる。
【００９３】
尚、上述した実施の形態では、上記撮影レンズ鏡筒１１をカメラの外装筐体１０内に収納する沈胴式のカメラについて説明したが、機構を簡易化するのはコスト面、大きさ面からも必須であり、かつ、撮影レンズ鏡筒を保持すれば手振れに強くなるため、撮影レンズ鏡筒にてモード操作ができるような構成は沈胴するしないにかかわらず重要である。
【００９４】
従って、図１９に示すように、撮影レンズ鏡筒３１１が、カメラ外装筐体３１０内に沈胴しないタイプのカメラにおいても、本発明の特徴たる光電変換スイッチ１７０を配置してモード切換を行うにしてもよい。
【００９５】
また、主にモード切換について述べたが、シャッタスピードや絞り等、手振れと関連するパラメータ変更用ＳＷへの応用が可能であることは、云うまでもない。
【００９６】
【発明の効果】
以上説明したように本発明によれば、操作部の一部を、撮影レンズ鏡筒に設けたので、撮影時に両手でカメラを構える頻度が多くなり手振れの影響を抑えつつ、迅速な操作のできるカメラを提供することができる。また、スイッチ手段に光電変換スイッチを用いたので、操作部や配線を単純化することができ、レンズ鏡筒をカメラ筐体内に沈胴させて携帯性を向上できるカメラを提供することができる。
【図面の簡単な説明】
【図１】本発明の第１実施の形態を示すカメラを右斜め上方から見た外観斜視図、
【図２】図１のカメラの背面側の斜視図、
【図３】図１のカメラの撮影レンズ鏡筒が沈胴した状態を示す斜視図、
【図４】図３のカメラの内部構造を省略した要部拡大断面図、
【図５】図１のカメラを撮影者が保持した状態を示す正面図、
【図６】美術館での写真撮影の構図の一例を示したファインダ表示部の拡大図、
【図７】本発明の第１実施の形態を示すカメラの電気回路の全体の構成を示すブロック図、
【図８】図１のカメラにおけるスイッチ手段の構成と配設状態を示す要部拡大斜視図、
【図９】図８のスイッチ手段の操作の一例を示す要部拡大斜視図、
【図１０】図１のカメラの撮影手順を示した基本フローチャート、
【図１１】図１のカメラにおけるスイッチ手段による各種モードの設定手順を示した基本フローチャート、
【図１２】本発明の第２実施の形態を示すカメラにおけるスイッチ手段の構成と配設状態を示した斜視図、
【図１３】図１２のスイッチ手段の操作の一例を示す斜視図、
【図１４】図１２のスイッチ手段の操作の他の例を示す斜視図、
【図１５】本発明のカメラにおけるスイッチ手段の変形例を示す斜視図、
【図１６】受光部の受光センサに、従来のカメラが有していたリモコン信号の受光部を代用した場合を示す電気回路図、
【図１７】手振れの検出方法として、ＡＦセンサを用いて手振れを検出する場合の光学系統図、
【図１８】ＡＦタイミングによって、センサアレイに入力される像データが異なることを示した線図、
【図１９】撮影レンズ鏡筒が、カメラ外装筐体内に沈胴しないタイプのカメラに本発明を適用した場合の概略図。
【符号の説明】
１０，３１０…カメラ外装筐体
１１，１１０，２１１…撮影レンズ鏡筒
１７ａ，１７ｂ…赤外発光ＬＥＤ（発光部）（スイッチ手段）
１７ｃ…受光部（スイッチ手段）
２０…撮影者
２０ｃ…撮影者の指
２２ａ，２２ｂ…撮影レンズ鏡筒の反射部
３０…ＣＰＵ（シーケンス制御手段）
４０…回転環の反射部（スイッチ手段）
４１…回転環の非反射部（スイッチ手段）
１１６…回転環
１７０ｃ…リモコン受光用センサ（スイッチ手段）
【図１】
2004170709.tif 000003
【図２】
2004170709.tif 000004
【図３】
2004170709.tif 000005
【図４】
2004170709.tif 000006
【図５】
2004170709.tif 000007
【図６】
2004170709.tif 000008
【図７】
2004170709.tif 000009
【図８】
2004170709.tif 000010
【図９】
2004170709.tif 000011
【図１０】
2004170709.tif 000012
【図１１】
2004170709.tif 000013
【図１２】
2004170709.tif 000014
【図１３】
2004170709.tif 000015
【図１４】
2004170709.tif 000016
【図１５】
2004170709.tif 000017
【図１６】
2004170709.tif 000018
【図１７】
2004170709.tif 000019
【図１８】
2004170709.tif 000020
【図１９】
2004170709.tif 000021